(57)【要約】【課題】プラグを挿抜する回数の増加に対して抜止機能の低下を抑制するコンセントを提供する。【解決手段】屋外用コンセント１は、プラグの栓刃が挿入される栓刃挿入口を有するとともにプラグに電力を供給するコンセント本体２を備えている。この屋外用コンセント１には、コンセント本体２に設けられるとともに栓刃挿入口の開閉動作を行う扉体３を有している。この扉体３には、プラグの栓刃が栓刃挿入口に挿入されたときに、栓刃が栓刃挿入口に挿入された状態を保持する保持部７０が設けられている。【選択図】図１
2010257918.tif 000002
【特許請求の範囲】
【請求項１】
栓刃が突出する面である前面と前記栓刃の挿入方向に対して前記前面とは反対側の面である背面とを有するプラグケースを備えるプラグの前記栓刃が挿入される栓刃挿入口が形成される挿入面を有するとともに同プラグに電力を供給するコンセント本体を備えるコンセントにおいて、
当該コンセントには、前記コンセント本体に設けられるとともに前記挿入面における前記プラグが挿入される表面側から前記栓刃挿入口を覆うことにより閉状態とする動作及び前記栓刃挿入口から離間することにより開状態とする動作を行う扉体を有し、
前記扉体には、前記プラグの栓刃が前記栓刃挿入口に挿入されたときに、前記栓刃が前記栓刃挿入口に挿入された状態を保持する保持部が設けられる
ことを特徴とするコンセント。
【請求項２】
請求項１に記載のコンセントにおいて、
前記保持部には、前記プラグケースの前記背面に接触する接触部が設けられる
ことを特徴とするコンセント。
【請求項３】
請求項２に記載のコンセントにおいて、
前記扉体には、前記栓刃挿入口の全体を覆う扉本体が設けられ、
前記保持部には、前記プラグの挿入方向の手前側から奥側に向かうにつれて前記扉本体からの突出量が増加する傾斜部が設けられ、
前記プラグの栓刃を前記栓刃挿入口に挿入するとき、前記傾斜部と前記プラグとが当接することにより前記扉体が前記栓刃挿入口から離間する方向に移動する
ことを特徴とするコンセント。
【請求項４】
請求項１〜請求項３のいずれか一項に記載のコンセントにおいて、
当該コンセントには、前記扉体が前記栓刃挿入口に向かい付勢する付勢手段が設けられ、
前記付勢手段は、前記プラグの栓刃が前記栓刃挿入口に挿入されたときに、前記保持部が前記プラグに当接した状態を維持するように付勢するとともに、前記プラグの栓刃が前記栓刃挿入口に挿入されていないときに、前記扉体が前記栓刃挿入口を閉状態に維持するように付勢する
ことを特徴とするコンセント。
【請求項５】
請求項３または請求項４に記載のコンセントにおいて、
前記接触部は、前記傾斜部より前記挿入方向の奥側において、前記傾斜部と連続するとともに前記プラグと接触する略Ｌ字形状に形成される
ことを特徴とするコンセント。
【請求項６】
請求項２に記載のコンセントにおいて、
前記扉体は、前記栓刃挿入口を覆う略平板状の扉本体を備え、
前記保持部には、前記プラグの挿入方向の手前側から奥側に向かうにつれて前記扉本体からの突出量が増加する傾斜部が設けられ、
前記プラグの栓刃が前記栓刃挿入口に挿入されたとき、前記プラグと前記傾斜部とが接触することにより、前記栓刃が前記栓刃挿入口に挿入された状態を保持する
ことを特徴とするコンセント。
【請求項７】
請求項１〜請求項６のいずれか一項に記載のコンセントにおいて、
前記扉体は、前記プラグの栓刃が前記栓刃挿入口に挿入されたときに、前記プラグの側面の少なくとも一部を覆う
ことを特徴とするコンセント。
【請求項８】
請求項１〜請求項７のいずれか一項に記載のコンセントにおいて、
前記コンセント本体が壁面に取り付けられた状態において、前記栓刃挿入口が鉛直方向の略下方に向かい開口し、
前記コンセント本体には、前記扉体の回動中心となるシャフトが設けられ、
前記扉体は、前記シャフトを中心に前記壁面に対して前方から後方に向かうにつれて鉛直方向の下方に向かい回動する
ことを特徴とするコンセント。
【請求項９】
請求項１〜請求項８のいずれか一項に記載のコンセントにおいて、
前記コンセント本体の前記挿入面には、前記プラグの挿入方向の奥側に向かい凹む凹部が設けられ、
前記凹部には、前記栓刃挿入口が設けられる底面と、前記底面を取り囲む側面とが設けられ、
前記プラグの栓刃が前記栓刃挿入口に挿入されたときに、前記プラグは前記側面に近接し、
前記扉体が閉状態となるときに、前記保持部が前記凹部に収納される
ことを特徴とするコンセント。
【請求項１０】
請求項４に記載のコンセントにおいて、
前記扉体及び前記コンセント本体の少なくとも一方には、前記栓刃挿入口を取り囲む態様にて弾性部材が設けられ、
前記扉体が閉状態となるときに、前記弾性部材は前記コンセント本体における前記栓刃挿入口を取り囲む周縁に圧縮した状態にて当接する
ことを特徴とするコンセント。
【請求項１１】
請求項１〜請求項１０のいずれか一項に記載のコンセントにおいて、
前記扉体が閉状態において、前記保持部は、前記栓刃挿入口の周縁の全周に亘り当接することにより、前記栓刃挿入口を塞ぐ
ことを特徴とするコンセント。
【発明の詳細な説明】
【技術分野】
【０００１】
本発明は、プラグの栓刃が挿入される栓刃挿入口を有するとともにプラグに電力を供給するコンセント本体を備えるコンセントに関する。
【背景技術】
【０００２】
一般に、コンセントとしては、プラグ（差込プラグ）の栓刃をコンセントに設けられた刃受で挟持することにより、プラグと電気的に導通するとともに同プラグに電力を供給する構造が知られている。このような構造では、外部からの力に対してプラグが屋外用コンセントから抜け易いため、例えばプラグが抜けることにより予期せず電気機器の動作が停止したり、プラグの栓刃と刃受との接触面積が減少することにより接触抵抗が増大して高熱が発生したりする問題が生じる恐れがあった。
【０００３】
そこで、上記のプラグがコンセントから抜けることに起因する問題を抑制するためにプラグの抜け止め構造が提案されている。例えば、特許文献１には、プラグをコンセントに接続した後に所定角度回転させることにより、プラグの栓刃に設けられた透孔にコンセントの刃受に設けられた突起が入り込み、プラグをコンセントから抜け止めする構造が提案されている。
【先行技術文献】
【特許文献】
【０００４】
【特許文献１】特開２００１−１８５２８９号公報
【発明の概要】
【発明が解決しようとする課題】
【０００５】
ところで、近年、コンセントは、家屋等の造営物の外壁に取り付けられる屋外用コンセントとして、造営物に取り付ける屋外用照明器具や、車内の清掃を行う掃除機等の電気機器が接続される場合がある。また最近では、上記屋外用コンセントは、電気自動車の充電を行うことに用いられる場合がある。これらの用途は、使用頻度が高いため、屋外用コンセントにプラグの挿抜を行う回数が多い。
【０００６】
しかしながら、特許文献１のようなコンセントでは、一般にプラグの挿抜する回数が少ない場合を想定しているため、例えばプラグを挿抜する回数が百回程度を保証するものが多い。具体的には、栓刃を挿入することにより、刃受が弾性変形されるとともに、栓刃の透孔に刃受の突起が入り込む。この刃受の弾性変形を繰り返すと、刃受のばね性が低下することにより、栓刃の透孔に刃受の突起が入らなくなってしまう。その結果、プラグの挿抜を繰り返すうちにプラグをコンセントから抜け止めする機能（以下、「抜止機能」）を果たさなくなってしまう場合がある。したがって、上述のようなプラグを挿抜する回数の多い用途には不向きな構造となっており、その点において改善の余地があった。
【０００７】
本発明は、上記実情に鑑みてなされたものであり、その目的とするところは、プラグを挿抜する回数の増加に対して抜止機能の低下を抑制するコンセントを提供することにある。
【課題を解決するための手段】
【０００８】
以下、上記目的を達成するための手段及びその作用効果について記載する。
（１）請求項１に記載の発明は、栓刃が突出する面である前面と前記栓刃の挿入方向に対して前記前面とは反対側の面である背面とを有するプラグケースを備えるプラグの前記栓刃が挿入される栓刃挿入口が形成される挿入面を有するとともに同プラグに電力を供給するコンセント本体を備えるコンセントにおいて、当該コンセントには、前記コンセント本体に設けられるとともに前記挿入面における前記プラグが挿入される表面側から前記栓刃挿入口を覆うことにより閉状態とする動作及び前記栓刃挿入口から離間することにより開状態とする動作を行う扉体を有し、前記扉体には、前記プラグの栓刃が前記栓刃挿入口に挿入されたときに、前記栓刃が前記栓刃挿入口に挿入された状態を保持する保持部が設けられることを要旨とする。
【０００９】
この発明によれば、扉体に保持部が設けられることにより、特許文献１のような従来の栓刃と刃受との間に抜け止め機構が設けられる構造と比較して、刃受が必要以上に弾性変形しないため、プラグの栓刃の栓刃挿入口への挿抜の回数を多く行ったとしても刃受のばね性の低下を抑制することができる。したがって、プラグをコンセントに対して挿抜する回数を増加させたとしても、プラグをコンセントに挿入したときに、栓刃が栓刃挿入口から挿入された状態を保持することができるようになる。即ち抜止機能の低下を抑制することができるようになる。
【００１０】
（２）請求項２に記載の発明は、請求項１に記載のコンセントにおいて、前記保持部には、前記プラグケースの前記背面に接触する接触部が設けられることを要旨とする。
この発明によれば、接触部がプラグケースの背面に接触することにより、プラグが挿入方向の手前側、即ちプラグの栓刃が栓刃挿入口に対して抜ける方向への移動が規制されることになる。したがって、抜止機能の低下をより一層抑制することができるようになる。
【００１１】
（３）請求項３に記載の発明は、請求項２に記載のコンセントにおいて、前記扉体には、前記栓刃挿入口の全体を覆う扉本体が設けられ、前記保持部には、前記プラグの挿入方向の手前側から奥側に向かうにつれて前記扉本体からの突出量が増加する傾斜部が設けられ、前記プラグの栓刃を前記栓刃挿入口に挿入するとき、前記傾斜部と前記プラグとが当接することにより前記扉体が前記栓刃挿入口から離間する方向に移動することを要旨とする。
【００１２】
この発明によれば、保持部に傾斜形状に形成された傾斜部が設けられることにより、プラグと傾斜部とが当接するときには、プラグが挿入されるにつれて扉体が栓刃挿入口から離間する方向に移動することとなる。したがって、傾斜部がプラグのコンセントへの挿入を阻害することを抑制することができる。その結果、プラグの栓刃を栓刃挿入口に挿入するときに、保持部に対するプラグの挿入方向への移動を円滑に行うことができるようになり、プラグをコンセントへ挿入する作業が容易となる。
【００１３】
（４）請求項４に記載の発明は、請求項１〜請求項３のいずれか一項に記載のコンセントにおいて、当該コンセントには、前記扉体が前記栓刃挿入口に向かい付勢する付勢手段が設けられ、前記付勢手段は、前記プラグの栓刃が前記栓刃挿入口に挿入されたときに、前記保持部が前記プラグに当接した状態を維持するように付勢するとともに、前記プラグの栓刃が前記栓刃挿入口に挿入されていないときに、前記扉体が前記栓刃挿入口を閉状態に維持するように付勢することを要旨とする。
【００１４】
この発明によれば、付勢手段により保持部がプラグに当接した状態を維持するため、外部衝撃等により保持部がプラグに対して離間しようとしても付勢手段により保持部はプラグに向かい付勢されることとなる。したがって、保持部がプラグに対して離間することに起因した抜止機能の低下を抑制することができる。
【００１５】
その上、付勢手段の作用により扉体が閉状態を維持することができるため、扉体を開状態にした後において、扉体の閉め忘れを回避することができる。したがって、プラグがコンセントに対して挿入されていない状態において、水等が栓刃挿入口に侵入する確率を低減することができる。以上により、本発明の構成によれば、保持部がプラグに対して離間することに起因した抜止機能の低下の抑制と、水等の栓刃挿入口への侵入の確率の低減とを両立することができるようになる。
【００１６】
（５）請求項５に記載の発明は、請求項３または請求項４に記載のコンセントにおいて、前記接触部は、前記傾斜部より前記挿入方向の奥側において、前記傾斜部と連続するとともに前記プラグと接触する略Ｌ字形状に形成されることを要旨とする。
【００１７】
この発明によれば、接触部が略Ｌ字形状に設けられることにより、プラグのプラグケースの背面が接触部に対応する位置に移動したときには、付勢手段によって扉体が回動するため、接触部とプラグケースの背面とが接触することとなる。したがって、付勢手段の作用により、プラグをコンセントに挿入するのみにて、プラグの栓刃が栓刃挿入口から抜けることを抑制する抜止機構を達成することができる。その結果、コンセントに対するプラグの抜け止めを忘れてしまうことを回避することができるようになる。
【００１８】
（６）請求項６に記載の発明は、請求項２に記載のコンセントにおいて、前記扉体は、前記栓刃挿入口を覆う略平板状の扉本体を備え、前記保持部には、前記プラグの挿入方向の手前側から奥側に向かうにつれて前記扉本体からの突出量が増加する傾斜部が設けられ、前記プラグの栓刃が前記栓刃挿入口に挿入されたとき、前記プラグと前記傾斜部とが接触することにより、前記栓刃が前記栓刃挿入口に挿入された状態を保持することを要旨とする。
【００１９】
この発明によれば、付勢手段により傾斜部がプラグに対して挿入方向に向かい押す力を有することとなる。これにより、傾斜部がプラグに接触した状態においては、プラグは挿入方向の奥側に向かい付勢されることとなる。したがって、抜止機能の低下を抑制することができるようになる。
【００２０】
（７）請求項７に記載の発明は、請求項１〜請求項６のいずれか一項に記載のコンセントにおいて、前記扉体は、前記プラグの栓刃が前記栓刃挿入口に挿入されたときに、前記プラグの側面の少なくとも一部を覆うことを要旨とする。
【００２１】
この発明によれば、プラグの栓刃が栓刃挿入口に挿入された状態において、扉体がプラグの側面の少なくとも一部を覆うため、その一部からの水の侵入を抑制することができるようになる。したがって、プラグ及びコンセントの防水性能を向上させることができる。
【００２２】
（８）請求項８に記載の発明は、請求項１〜請求項７のいずれか一項に記載のコンセントにおいて、前記コンセント本体が壁面に取り付けられた状態において、前記栓刃挿入口が鉛直方向の略下方に向かい開口し、前記コンセント本体には、前記扉体の回動中心となるシャフトが設けられ、前記扉体は、前記シャフトを中心に前記壁面に対して前方から後方に向かうにつれて鉛直方向の下方に向かい回動することを要旨とする。
【００２３】
この発明によれば、扉体が、壁面に対して前方から後方に向かうにつれて鉛直方向の下方に向かい回動するため、プラグは、扉体の前方からコンセントに対して挿入することとなる。したがって、扉体が開状態を維持しつつ、プラグをコンセントに挿入する作業を容易に行うことができるようになる。
【００２４】
（９）請求項９に記載の発明は、請求項１〜請求項８のいずれか一項に記載のコンセントにおいて、前記コンセント本体の前記挿入面には、前記プラグの挿入方向の奥側に向かい凹む凹部が設けられ、前記凹部には、前記栓刃挿入口が設けられる底面と、前記底面を取り囲む側面とが設けられ、前記プラグの栓刃が前記栓刃挿入口に挿入されたときに、前記プラグは前記側面に近接し、前記扉体が閉状態となるときに、前記保持部が前記凹部に収納されることを要旨とする。
【００２５】
この発明によれば、プラグが凹部の側面と近接することにより、プラグの栓刃を栓刃挿入口に挿入するときにおいて、使用者の手の指が栓刃に触れることを抑制することができるようになる。したがって、使用者の手が栓刃に触れることによる感電を抑制することができる。ここで「近接」とは、凹部の側面とプラグとの間に使用者の指が入らない程度の距離をいう。
【００２６】
また、保持部を収納するスペースがコンセント本体に設けられていない場合、保持部がコンセント本体に当接することにより、扉体が閉状態とするときに扉体とコンセント本体との間に空間が形成されてしまい、その空間から水が侵入してしまう場合がある。また、保持部を収納するためのスペースを凹部とは別にコンセント本体に設けた場合、コンセント本体の構成が複雑となり、コンセントが大型化してしまうこととなる。その点において、本発明では、凹部に保持部が収納される構成であるため、扉体とコンセント本体との間の空間の形成を抑制することができる。その上、凹部が保持部を収納するスペースを兼ねるため、コンセント本体に別途保持部を収納するためのスペースを省略することができ、コンセントの大型化を抑制することができる。
【００２７】
（１０）請求項１０に記載の発明は、請求項４に記載のコンセントにおいて、前記扉体及び前記コンセント本体の少なくとも一方には、前記栓刃挿入口を取り囲む態様にて弾性部材が設けられ、前記扉体が閉状態となるときに、前記弾性部材は前記コンセント本体における前記栓刃挿入口を取り囲む周縁に圧縮した状態にて当接することを要旨とする。
【００２８】
この発明によれば、扉体が閉状態において、弾性部材とコンセント本体とが密着するため、扉体によって栓刃挿入口を良好に封止することができるようになる。したがって、プラグがコンセントに対して挿入されていないときにおいて、コンセントの防水性能を向上させることができるようになる。
【００２９】
（１１）請求項１１に記載の発明は、請求項１〜請求項１０のいずれか一項に記載のコンセントにおいて、前記扉体が閉状態において、前記保持部は、前記栓刃挿入口の周縁の全周に亘り当接することにより、前記栓刃挿入口を塞ぐことを要旨とする。
【００３０】
この発明によれば、扉体が閉状態において保持部が栓刃挿入口の周縁に当接することにより、爪部が栓刃挿入口の蓋の役割を果たすことになる。したがって、プラグがコンセントに挿入されていない状態において、コンセントの防水性能を向上させることができる。
【発明の効果】
【００３１】
本発明によれば、プラグを挿抜する回数の増加に対して抜止機能の低下を抑制するコンセントを提供することができる。
【図面の簡単な説明】
【００３２】
【図１】本発明のコンセントを具体化した一実施形態について、同コンセントの分解斜視構造を示す斜視図。
【図２】同実施形態のコンセントについて、同コンセントを鉛直方向に沿った平面にて切った断面構造を示す断面図。
【図３】同実施形態のコンセントについて、（ａ）扉体の斜視構造を示す斜視図、（ｂ）扉体の正面構造を示す正面図、（ｃ）扉体の側面構造を示す側面図。
【図４】同実施形態のコンセントについて、同コンセントを鉛直方向の下方から見た斜視構造を示す斜視図。
【図５】同実施形態のコンセントについて、（ａ）同コンセントの斜視構造を示す斜視図、（ｂ）同コンセントの側面構造を示す側面図。
【図６】同実施形態のコンセントについて、同コンセントを鉛直方向の下方から見た斜視構造を示す斜視図。
【図７】同実施形態のコンセントについて、（ａ）扉体とプラグとが当接した状態の側面構造を示す側面図、（ｂ）扉体とプラグとが当接した状態の側面構造を示す側面図。
【図８】同実施形態のコンセントについて、（ａ）同コンセントにプラグが挿入された状態の斜視構造を示す斜視図、（ｂ）扉体の保持部とプラグケースの背面との関係を示す拡大図。
【図９】同実施形態のコンセントについて、同コンセントにプラグが挿入された状態において、同コンセントを鉛直方向に沿った平面にて切った断面構造を示す断面図。
【図１０】本発明のコンセントの第２の実施形態について、（ａ）同コンセントにプラグが挿入された状態の斜視構造を示す斜視図、（ｂ）扉体の保持部とプラグケースの背面との関係を示す拡大図。
【図１１】本発明のコンセントの第３の実施形態について、（ａ）同コンセントを鉛直方向の下方から見た斜視構造を示す斜視図、（ｂ）同コンセントを鉛直方向に沿った平面にて切った断面構造を示す断面図。
【図１２】本発明のコンセントの他の実施形態について、（ａ）同コンセントを鉛直方向の下方から見た斜視構造を示す斜視図、（ｂ）同コンセントを鉛直方向に沿った平面にて切った断面構造を示す断面図。
【発明を実施するための形態】
【００３３】
（第１の実施形態）
図１〜図８を参照して、本発明のコンセントを家屋等の造営物の造営面である外壁に取り付けられる屋外用コンセントとして具体化した第１の実施形態について説明する。
【００３４】
図１に示すように、屋外用コンセント１は、外壁の壁面に取り付けられるとともに、プラグ５の栓刃５ａ（図７参照）を挿入する栓刃挿入口２１ａ（図２参照）を有するコンセント本体２と、この栓刃挿入口を開閉する扉体３と、コンセント本体２に設けられるとともに扉体３の開閉動作を行う回転機構４とにより構成されている。
【００３５】
以降では、壁面に対して垂直な方向を「前後方向」とし、壁面から離れていく方向を「前方」とし、壁面に近づいていく方向を「後方」とする。また、プラグ５の栓刃５ａが栓刃挿入口２１ａに挿入される方向を「挿入方向」とする。
【００３６】
コンセント本体２には、基部となるボディ１０が設けられている。このボディ１０には、栓刃挿入口２１ａが設けられるコンセントブロック２０が取り付けられている。コンセントブロック２０の前後方向の後方には、防水パッキン３０がボディ１０に取り付けられる態様にて配置されている。この防水パッキン３０の前後方向の後方には、壁面に取り付けられることにより、当該屋外用コンセント１が壁面に固定される取付体４０が設けられている。また、ボディ１０の前後方向の前面には、カバー体５０が取り付けられている。
【００３７】
ボディ１０には、防水パッキン３０が取り付けられる枠状の枠体部１１が設けられている。この枠体部１１の鉛直方向の上方には、前後方向の前方に向かい突出するとともに側面視において円弧形状のカバー部１２が設けられている。このカバー部１２の側面における鉛直方向の下端部１２ｂは、前後方向の後方に向かうにつれて鉛直方向の下方に向かい傾斜している。
【００３８】
コンセントブロック２０には、その外枠を構成するコンセントケース２１が設けられている。このコンセントケース２１内には、プラグ５の栓刃５ａを受ける刃受２２（図２参照）と、壁面から引き出された電線を保持するための錠ばね（不図示）と、この錠ばねを解除する解除ボタン（不図示）とが収納されている。
【００３９】
コンセントケース２１には、プラグ５の栓刃５ａが挿入される面である挿入面２１ｇに形成された栓刃挿入口２１ａと、電線を錠ばねに挿入する電線挿入口とが設けられている。また、コンセントケース２１には、ボディ１０にボルトにより取り付けられるボディ取付部２１ｃが設けられている。
【００４０】
防水パッキン３０は、上述のように枠体部１１の前後方向の後方に取り付けられる弾性部材である。この防水パッキン３０は、壁面とボディ１０との間を密着することにより、防水パッキン３０と壁面との間を介して屋外用コンセント１内に雨水等の水が侵入することを抑制している。この防水パッキン３０には、ボディ１０の枠体部１１と嵌合する段形状である嵌合部３１と、壁面から引き出された電線をコンセントブロック２０に向かい挿通する貫通孔である前方挿通部３２とが設けられている。
【００４１】
取付体４０は、防水パッキン３０の内部に収納されている。そして、取付体４０には、壁面とボルト（不図示）にて取り付けられる取付部４１と、上記電線を前方挿通部３２及びコンセントブロック２０に向かい挿通する後方挿通部４２とが設けられている。
【００４２】
扉体３は、略平板形状の扉本体６０と、扉本体６０に設けられた保持部７０とにより構成されている。この扉本体６０は、カバー部１２の鉛直方向の下方に配置されるとともに、同カバー部１２の鉛直方向の下方の一部を開閉している。
【００４３】
回転機構４は、防水パッキン３０の鉛直方向の下部に当接している。そしてこの回転機構４は、扉体３の回動中心を構成するシャフト８０と、シャフト８０に挿通されるばね部材８１と、シャフト８０及びばね部材８１を保持する保持部材９０とにより構成されている。本実施形態のばね部材８１としては、トーションばねを用いている。
【００４４】
次に、図２を参照して、屋外用コンセント１の内部構造について説明する。
図２に示すように、コンセントブロック２０は、ボディ１０の枠体部１１よりも前後方向の前方に配置されているとともにカバー部１２内に収納されている。そして、コンセントブロック２０の一部は、カバー部１２の鉛直方向の下方に設けられた貫通孔である挿通口１２ａに挿入されている。具体的には、コンセントブロック２０のコンセントケース２１の側面の全周に亘りに設けられた突起状の係合部２１ｄが挿通口１２ａの周縁と当接した状態において、コンセントケース２１の係合部２１ｄより先端側の挿入部２１ｅが挿通口１２ａに挿入されることにより、カバー部１２に対してコンセントブロック２０が配置されている。
【００４５】
また、挿通口１２ａは、前後方向の前方に向かうにつれて鉛直方向の上方に傾斜する形状となっている。そのため、コンセントブロック２０は、鉛直方向の下方に向かうにつれて前後方向の前方に傾斜する態様にてカバー部１２に取り付けられている。コンセントケース２１において、挿通口１２ａと対応する面である底面２１ｆ１には、栓刃挿入口２１ａが形成されている。そして栓刃挿入口２１ａは、挿通口１２ａと同様に、前後方向の前方に向かうにつれて鉛直方向の上方に傾斜している。
【００４６】
また、この挿通口１２ａの鉛直方向の下方には、同挿通口１２ａと近接する態様にて回転機構４が設けられている。そしてこの回転機構４には扉体３が取り付けられている。
この扉体３は、回転機構４によりプラグ５（図７参照）が栓刃挿入口２１ａに挿入されていないときには、挿通口１２ａ（挿入面２１ｇ）を鉛直方向の下方より覆うように動作する（以下、このような扉体３が挿通口１２ａを鉛直方向の下方より覆う状態を「閉状態」という。）。具体的には、この扉体３が閉状態のときには、扉体３は、挿入口１２ａ（挿入面２１ｇ）におけるプラグ５が屋外用コンセント１に挿入される挿入方向の前面１２Ａ側（即ち挿入面２１ｇの表面側）より栓刃挿入口２１ａを覆う態様となる。
【００４７】
一方、扉体３は、回転機構４によりプラグ５が栓刃挿入口２１ａに挿入されるときには、同閉状態から挿通口１２ａ（挿入面２１ｇ）から鉛直方向の下方に向かい同挿通口１２ａ（栓刃挿入口２１ａ）から離間するように動作する（以下、このような扉体３が挿通口１２ａから離間する状態を「開状態」という。）。
【００４８】
ボディ１０の枠体部１１には、その前後方向の後方に防水パッキン３０が当接している。この防水パッキン３０の外郭の寸法は、枠体部１１の外郭の寸法と略同一となるように設けられている。そして防水パッキン３０には、その前後方向の後方から取付体４０が当接している。この取付体４０の外郭の寸法は、防水パッキン３０の外郭の寸法よりも小さく形成されるとともに、防水パッキン３０の前後方向の後方に設けられた周壁部３３の内部に収納されている。
【００４９】
ボディ１０の枠体部１１には、壁面に固定するためのボルトを挿通するための貫通孔であるボルト挿通部１１ａが設けられている。そして、防水パッキン３０において、ボルト挿通部１１ａと対応するところには、このボルト挿通部１１ａを挿通する貫通孔である挿通部３４が設けられている。そして、取付体４０において、ボルト挿通部１１ａ及び挿通部３４のそれぞれに対応するところには、ボルト挿通部１１ａの貫通孔と連通する貫通孔であるボルト挿通部４３が設けられている。これらにより、防水パッキン３０と取付体４０とは、ボディ１０と壁面との前後方向の間において挟まれる態様にてその位置が維持されている。
【００５０】
また、カバー体５０は、カバー部１２をカバー部１２より鉛直方向の下方まで覆う態様にて設けられている。具体的には、カバー体５０の前後方向の前面５１は、カバー部１２の前後方向の前面１２Ａよりも鉛直方向の下方まで延びる態様にて設けられている。そして、カバー体５０の側面５２は、前後方向の後方に向かうにつれて鉛直方向の下方に向かい延びる態様にて設けられている。より具体的には、カバー部１２に対して側面５２の鉛直方向の下方に延びる量が前後方向の後方に向かうにつれて多くなる態様にて設けられている。そして、側面５２は、ボディ１０の枠体部１１と当接するとともに、枠体部１１の鉛直方向の寸法と略同一の寸法となるように設けられている。
【００５１】
次に、図３を参照して、扉体３の構造の詳細について説明する。この図３において、ボディ１０に取り付けられた状態において、前後方向に対して垂直な方向を「長さ方向」とする。
【００５２】
図３（ａ）に示すように、扉体３の扉本体６０には、その前後方向の後方において、回転機構４のシャフト８０を挿入するための略円筒形状のシャフト挿入部６１とその前後方向の前方において、使用者の手によって扉体３を回動させるための把持部６２とが設けられている。また、扉本体６０には、その周縁において挿通口１２ａ（図２参照）に向かい、即ち鉛直方向の上方に向かい突出する周壁部６３が設けられている。この周壁部６３は、扉本体６０の長さ方向の両側部の２辺及び前後方向の前方の１辺において各辺の全長に亘り設けられている。
【００５３】
図３（ｃ）に示すように、把持部６２は、扉本体６０から鉛直方向の下方に向かい突出する態様にて設けられている。具体的には、把持部６２には、扉本体６０から前後方向の前方に向かうにつれて鉛直方向の下方に向かい突出する突出部６２ａと、この突出部６２ａの長さ方向の両側部に設けられるとともに突出部６２ａを補強するリブ６２ｂとが設けられている。このリブ６２ｂは、突出部６２ａの鉛直方向の全体に亘り設けられるとともに、突出部６２ａの鉛直方向の下方の端部から扉本体６０に向かい突出部６２ａからの前後方向の幅が大きくなる態様にて設けられている。
【００５４】
また、突出部６２ａの鉛直方向の下方の端部には、同端部から前後方向の前方に向かい突出する突起部６２ｃが設けられている。この突起部６２ｃは、突出部６２ａの長さ方向の全体に亘り設けられている。この突起部６２ｃにより、使用者の指が引っかかりやすくなる。
【００５５】
図３（ｂ）に示すように、保持部７０は、扉本体６０において前後方向の前方の位置に一体に設けられている。この保持部７０は、長さ方向に所定間隔を持って配列された３個の爪部７１と、これら爪部７１を連結する連結部７２とにより構成されている。
【００５６】
爪部７１には、その前後方向の前方において、前後方向の後方に向かうにつれて鉛直方向の上方に向かい傾斜する傾斜部７１ａと、その前後方向の後方において、傾斜部７１ａの頂部から鉛直方向の下方に向かう段形状となる段部７１ｂとが設けられている。この段部７１ｂは、傾斜部７１ａの丁部から鉛直方向に沿って下方に向かい延びる面である第１面７１ｂ１と、第１面７１ｂ１の鉛直方向の下端部から前後方向に沿った後方に向かい延びる面である第２面７１ｂ２とが設けられている。また、連結部７２は、長さ方向に延びることにより爪部７１の前後方向の後方の端部を互いに接続する態様にて設けられている。
【００５７】
次に、図２、図４〜図７を参照して、プラグ５の栓刃５ａの栓刃挿入口２１ａへの挿入の有無における扉体３の態様について説明する。
まず、図２、図４及び図５を参照して、プラグ５の栓刃５ａが栓刃挿入口２１ａへ挿入されていないとき、即ち扉体３が閉状態における扉体３の態様について説明する。
【００５８】
図４に示すように、扉体３の扉本体６０は、栓刃挿入口２１ａの全面を鉛直方向の下方から覆う態様にて維持されている。即ち扉本体６０の外郭は、栓刃挿入口２１ａよりも大きく形成されている。具体的には、図２に示すように、扉本体６０の周壁部６３におけるカバー部１２の挿通口１２ａと対向する面の全面が同挿通口１２ａの周縁と当接する態様にて維持されている。この状態においては、ばね部材８１（図１参照）により、周壁部６３は挿通口１２ａの周縁に向かい付勢する力が作用している。これにより、例えば扉体３の自重により扉体３が鉛直方向の下方に回動することに起因して周壁部６３と挿通口１２ａの周縁との間に空間が形成されることを抑制している。
【００５９】
また、コンセントケース２１の挿入面２１ｇには、プラグ５の栓刃５ａの挿入方向において奥側に凹む、即ち図２において鉛直方向の上方に凹むとともに、平面視において円形となる凹部２１ｆが設けられている。この凹部２１ｆは、栓刃挿入口２１ａを形成する底面２１ｆ１と、底面２１ｆ１の周縁を取り囲むとともに上記挿入方向の手前側（即ち、鉛直方向の下方）に延びる側面２１ｆ２とにより構成されている。この凹部２１ｆには、プラグ５のプラグケース５ｂ（図７参照）の一部が挿入されることになる。
【００６０】
ところで、上述のように、扉体３の扉本体６０に保持部７０を設けた場合、保持部７０の収納部をコンセント本体２側に設ける必要がある。即ちコンセント本体２側に保持部７０の収納部を設けない構成とすると、周壁部６３と挿通口１２ａの周縁とが当接する前に、保持部７０とコンセントケース２１とが当接してしまうことにより、周壁部６３と挿通口１２ａとの間に空間が形成されてしまう。その結果、屋外用コンセント１の防水性能が低下してしまう場合がある。一方、保持部７０の収納部をコンセント本体２側に設ける構成においても、その保持部７０を収納するためだけの部位を専用に設ける構成としてしまうと、コンセント本体２の形状が複雑となるとともにコンセント本体２が大型化してしまう場合がある。
【００６１】
その点において、本実施形態では、コンセントケース２１に設けられた凹部２１ｆ内に保持部７０を収納する構成としている。具体的には、保持部７０と底面２１ｆ１との間に空間が形成されることにより、保持部７０と底面２１ｆ１との接触を回避する態様にて、保持部７０は凹部２１ｆに収納されている。したがって、周壁部６３と挿通口１２ａの周縁とが良好に当接状態を維持することができるようになる。
【００６２】
また、凹部２１ｆは、プラグ５のプラグケース５ｂの一部の挿入と、保持部７０の収納とを兼ねるものであるため、上述のような保持部７０を収納するためだけの部位を専用に設ける構成と比較して、コンセント本体２の形状を簡単化することができるとともにコンセント本体２の大型化を抑制することができるようになる。
【００６３】
ところで、一般に、栓刃挿入口を覆う扉体を開閉可能に設けた場合、プラグを挿入するために扉体を開け、プラグを抜いた後に扉体を閉め忘れる場合がある。この場合においては、例えば屋外用コンセントの付近において洗車をしていたときには、洗車に使用している水が栓刃挿入口に侵入してしまう可能性がある。
【００６４】
その点において、本実施形態では、回転機構４にばね部材８１を設けて扉体３を常に挿通口１２ａに向かい付勢するようにしているため、扉体３の閉め忘れを回避することができるようになる。
【００６５】
また、図５に示すように、扉体３が挿通口１２ａに当接した状態において、扉体３の突出部６２ａの鉛直方向の下方の部位及び突起部６２ｃは、カバー体５０よりも鉛直方向の下方に突出している。これにより、扉体３が挿通口１２ａに当接した状態においても使用者の手の指を突起部６２ｃに引っ掛けることができ、扉体３を開け易くなる。
【００６６】
次に、図６及び図７を参照して、プラグ５の栓刃５ａが栓刃挿入口２１ａへ挿入されるときの扉体３の態様について説明する。
図６に示すように、プラグ５の栓刃５ａを栓刃挿入口２１ａに挿入するときには、扉体３を図４及び図５に示す周壁部６３と挿通口１２ａの周縁とが当接した状態から周壁部６３を挿通口１２ａの周縁から離間させた状態にさせる。具体的には、使用者の手の指（不図示）によって、突起部６２ｃを引っ掛けて、扉体３を鉛直方向の下方に移動させる。このとき、扉体３は、シャフト８０を中心にして、鉛直方向の下方に回動する。ここで、栓刃挿入口２１ａは、プラグ５の栓刃５ａのうちの一対の電源端子５ａ１（図７参照）が挿入される略長方形の電源端子挿入口２１ａ２とプラグ５の栓刃５ａのうちの接地端子５ａ２（図７参照）が挿入される略半円形状の接地端子挿入口２１ａ３とにより構成されている。
【００６７】
ところで、このような回動する扉体では、カバー部側に回転機構を設ける構造も考えられる。この構成においては、扉本体に設けられた突起部が前後方向の後方に配置されるため、扉体は前後方向の後方から前方に向かうとともに、鉛直方向の下方に向かい回動する。このような扉体の動作では、扉体よりも前後方向の後方からプラグを挿入しなければならないため、扉体を回動させた状態を維持しつつ、プラグを挿入する作業が難しい場合があった。
【００６８】
その点において、本実施形態では、回転機構４が枠体部１１に設けられ、扉本体６０の突起部６２ｃが前後方向の前方に設けられるため、扉体３は、前後方向の前方から後方に向かうとともに、鉛直方向の下方に向かい回動するようになる。これにより、扉体３より前後方向の前方からプラグ５を栓刃挿入口２１ａに挿入することができるため、プラグ５を栓刃挿入口２１ａに挿入する作業が容易となる。
【００６９】
また、図７（ａ）に示すように、プラグ５の外枠を構成するプラグケース５ｂと扉本体６０とが重なったときにおいて、扉本体６０の位置を維持していた指（詳しくは、突起部６２ｃに引っ掛けていた指）を離してもよい。この場合においては、扉本体６０は、ばね部材８１（図１参照）の復元力の作用により、挿通口１２ａ（図２参照）に向かい回動することとなる。即ち、扉本体６０は、前後方向の後方から前方に向かうとともに、鉛直方向の上方に向かい回動するようになる。特に図７（ａ）では、保持部７０（または扉本体６０）とプラグケース５ｂとは互いに当接した状態が維持されるようになる。なお、本実施形態のプラグ５のプラグケース５ｂは略円筒形状に設けられている。
【００７０】
上記の状態において、さらにプラグ５を挿入方向の奥側に挿入するときには、保持部７０の傾斜部７１ａにより扉本体６０は、傾斜部７１ａの扉本体６０からの突出量分だけ前後方向の後方に向かうとともに鉛直方向の下方に向かい回動する。そして、図７（ｂ）に示すように、傾斜部７１ａの頂面７１ａ１とプラグケース５ｂとが当接したときには、扉本体６０はプラグケース５ｂの前後方向の変化以外では回動しないようになる。
【００７１】
最後に、図８及び図９を参照して、プラグ５の栓刃５ａが栓刃挿入口２１ａへ挿入されたときの扉体３の態様について説明する。
コンセントブロック２０に収納された刃受２２は、プラグ５の各栓刃５ａに対応して設けられている。具体的には、刃受２２は、栓刃５ａにおける一対の電源端子５ａ１のそれぞれを電源端子５ａ１の両側から挟む電源側刃受と、栓刃５ａにおける接地端子５ａ２を接地端子５ａ２の両側から挟む接地側刃受とにより構成されている。電源側刃受及び接地側刃受のそれぞれは、電源端子５ａ１及び接地端子５ａ２を挟むときに、弾性変形する。そしてこの弾性変形に起因する復元力によって、電源側刃受及び接地側刃受は、電源端子５ａ１及び接地端子５ａ２のそれぞれを保持するようになる。
【００７２】
ところで、特許文献１に示すようなプラグをコンセントに接続した後に所定角度回転させることにより、プラグの栓刃に設けられた透孔にコンセントの刃受に設けられた突起が入り込み、プラグをコンセントから抜け止めする構造では、刃受の弾性変形する量が大きく、刃受が弾性変形を繰り返すと、刃受のばね性が低下することにより、栓刃の透孔に刃受の突起が入らなくなってしまう。その結果、プラグの挿抜を繰り返すうちに抜止機能が低下し、同抜止機能を果たさなくなってしまう場合がある。
【００７３】
その点において、本実施形態では、プラグと刃受との間に抜止機構が設けられていない構造、即ち扉体３の回動により栓刃挿入口２１ａの全体を開閉する構造であるため、プラグ５の栓刃５ａによる刃受２２の弾性変形の量が抑制されるため、特許文献１のような抜止機能の低下を抑制することができるようになる。
【００７４】
特許文献１に示すようなプラグをコンセントに接続した後に所定角度回転させることにより、プラグの栓刃に設けられた透孔にコンセントの刃受に設けられた突起が入り込み、プラグをコンセントから抜け止めする構造では、プラグを所定角度回転させる作業を忘れてしまう可能性がある。その結果、例えばプラグが抜けることにより予期せず電気機器の動作が停止したり、プラグの栓刃と刃受との接触面積が減少することにより接触抵抗が増大して高熱が発生したりする問題が生じる恐れが未だに残されていた。
【００７５】
その点において、本実施形態では、ばね部材８１により、プラグ５の栓刃５ａが栓刃挿入口２１ａに挿入されたときに自動的に保持部７０によりプラグ５を係止するため、上記のプラグが抜けることに起因する問題をより抑制することができるようになる。
【００７６】
具体的には、図８（ａ）に示すように、プラグ５の栓刃５ａが栓刃挿入口２１ａへ挿入されたときには、プラグケース５ｂにおける栓刃５ａが設けられる前面５ｄ（図７参照）と挿入方向において反対側の面となる背面５ｃに保持部７０の段部７１ｂが当接した状態となる。これにより、プラグ５が挿入方向の手前側に移動することが規制されている。
【００７７】
より具体的には、図８（ｂ）に示すように、プラグケース５ｂの背面５ｃは段部７１ｂにおける第１面７１ｂ１に当接している。なお、３個の爪部７１における中央の爪部７１においては、第１面７１ｂ１にプラグケース５ｂの背面５ｃが当接するとともに、プラグケース５ｂの側面５ｅが第２面７１ｂ２に当接している。
【００７８】
ところで、プラグ５の栓刃５ａとコンセントケース２１の刃受とが接触した時点において、刃受を介して栓刃５ａに電力が供給されることとなる。そのときに栓刃５ａに使用者の手が触れてしまうと感電してしまう恐れがある。また、栓刃５ａが栓刃挿入口２１ａに対して不完全な挿入状態のときには、栓刃５ａが外部に露出してしまい、その栓刃５ａを使用者の手が触れてしまう恐れもある。
【００７９】
その点において、本実施形態では、コンセントケース２１に凹部２１ｆを設け、この凹部２１ｆ内にプラグケース５ｂが挿入される構成としている。したがって、プラグ５の栓刃５ａを栓刃挿入口２１ａに挿入するときには、栓刃５ａが凹部２１ｆ内を挿通するとともにプラグケース５ｂと凹部２１ｆの周縁とによりプラグ５の外部から栓刃５ａに通じる空間を小さくすることができる。その結果、上記空間を通じて、使用者の手の指が栓刃５ａに触れることを抑制することができるようになる。
【００８０】
具体的には、図９に示すように、プラグ５の栓刃５ａが栓刃挿入口２１ａへ挿入されたときには、プラグケース５ｂの前面５ｄ及び背面５ｃを連結する側面５ｅと、凹部２１ｆの側面２１ｆ２とは互いに近接するようになる。この構成により、プラグケース５ｂの側面５ｅと凹部２１ｆの側面２１ｆ２との間を通じて、使用者の手の指が栓刃５ａに触れることが抑制される。また、栓刃５ａが栓刃挿入口２１ａに対して不完全な挿入状態であったとしても、凹部２１ｆの側面２１ｆ２とプラグケース５ｂの側面５ｅとが互いに重なる部分がある限りにおいて、栓刃５ａが外部に露出することが抑制される。したがって、栓刃５ａに使用者の手の指が触れることが抑制される。
【００８１】
また、栓刃挿入口２１ａに栓刃５ａを挿入したプラグ５を抜くときには、扉体３を前後方向の後方に向かうとともに鉛直方向の下方に回動させることにより段部７１ｂとプラグケース５ｂの背面５ｃとを離間させた状態において、プラグ５を挿入方向の手前側に引くようにする。これにより、段部７１ｂとプラグケース５ｂの背面５ｃとを容易に離間させることができ、プラグ５を抜く作業が容易となる。
【００８２】
本実施形態のコンセントによれば、以下の効果を奏することができる。
（１）本実施形態によれば、扉体３には、プラグ５の栓刃５ａが栓刃挿入口２１ａに挿入されたときに、栓刃５ａが栓刃挿入口２１ａに挿入された状態を保持する保持部７０が設けられる構成としている。したがって、特許文献１のような従来の栓刃と刃受との間に抜け止め機構が設けられる構造と比較して、刃受が必要以上に弾性変形しないため、プラグ５の栓刃５ａの栓刃挿入口２１ａへの挿抜の回数を多く行ったとしても刃受のばね性の低下を抑制することができる。したがって、プラグ５を屋外用コンセント１に対して挿抜する回数を増加させたとしても、栓刃５ａが栓刃挿入口２１ａから挿入された状態を保持することができるようになる。
【００８３】
また、扉体３が栓刃挿入口２１ａの全体を開閉動作するため、プラグ５が屋外用コンセント１に対して挿入されていないときに、扉体３を閉状態とすることにより、水が栓刃挿入口２１ａ内に侵入することを抑制することができるようになる。即ち、扉体３は、プラグ５の栓刃５ａが栓刃挿入口２１ａに挿入された状態を維持する機能と、栓刃挿入口２１ａへの水の侵入を抑制する機能とを併せ有することとなる。したがって、扉体３と各別の部材を用いて保持部を形成する構造と比較して、屋外用コンセント１の部品点数を削減することができるとともに、屋外用コンセント１の大型化を抑制することができるようになる。
【００８４】
（２）本実施形態によれば、保持部７０には、プラグケース５ｂの背面５ｃに接触する接触部である段部７１ｂが設けられる構成としている。したがって、プラグ５が挿入方向の手前側、即ちプラグ５の栓刃５ａが栓刃挿入口２１ａに対して抜ける方向への移動が規制されることになる。したがって、プラグ５が屋外用コンセント１に対して抜けてしまうことをより抑制することができるようになる。
【００８５】
また、段部７１ｂがプラグケース５ｂの背面５ｃに接触するため、プラグケース５ｂに段部７１ｂと接触するための部位を形成することが省略されることとなる。そのため、プラグケース５ｂの形状を簡単化することができるようになる。また、プラグケース５ｂに段部７１ｂと接触するための部位を形成する場合、プラグケース５ｂは専用の形状が必要となる。即ち、プラグ５自体が屋外用コンセント１に適合した専用部品である必要がある。この点において、本実施形態では、プラグ５が汎用品であったとしても、段部７１ｂによるプラグ５の屋外用コンセント１に対する抜け止め機構の役割を果たすことができるようになる。
【００８６】
さらに、プラグケース５ｂに段部７１ｂと接触するための部位を形成する場合、特に段部７１ｂと接触するための突起部を形成する場合においては、車両や使用者がプラグケース５ｂを踏むことにより上記突起部が破損してしまう場合がある。その結果、プラグ５が屋外用コンセント１に対する抜け止め機構の役割を果たすことができなくなってしまう。その点において、本実施形態では、扉体３に保持部７０が設けられる構成であるため、プラグ５が車両や使用者によって踏まれたとしても、プラグ５の屋外用コンセント１に対する抜け止め機構の役割を維持することができる。
【００８７】
（３）本実施形態によれば、保持部７０には、前後方向の前方から後方に向かうにつれて扉本体６０からの突出量が増大する傾斜部７１ａが設けられる構成としている。したがって、傾斜部７１ａが傾斜形状に形成されることにより、扉体３と傾斜部７１ａとが当接するときには、プラグ５が挿入されるにつれて扉体３が回動することとなる。したがって、傾斜部７１ａがプラグ５の挿入を阻害することを抑制することができる。その結果、プラグ５の栓刃５ａを栓刃挿入口２１ａに挿入するときに、保持部７０に対するプラグ５の挿入方向への移動を円滑に行うことができるようになる。したがって、プラグ５を屋外用コンセント１へ挿入する作業が容易となる。
【００８８】
（４）本実施形態によれば、回転機構４には、扉体３が栓刃挿入口２１ａに向かい付勢する付勢手段であるばね部材８１が設けられ、ばね部材８１は、保持部７０がプラグケース５ｂに当接した状態を維持するように付勢する構成としている。したがって、プラグ５が屋外用コンセント１に挿入された状態において、外部衝撃等により保持部７０がプラグケース５ｂに対して離間しようとしてもばね部材８１により保持部７０はプラグケース５ｂに向かい付勢されることとなる。したがって、保持部７０がプラグケース５ｂに対して離間することに起因して、プラグ５の栓刃５ａが栓刃挿入口２１ａから抜けることを抑制することができる。
【００８９】
（５）本実施形態によれば、プラグ５の栓刃５ａが栓刃挿入口２１ａに挿入されていないときに、扉体３が栓刃挿入口２１ａを閉状態に維持するようにばね部材８１が付勢する構成としている。したがって、ばね部材８１の作用により扉体３が閉状態を維持することができるため、扉体３を開状態にした後において、扉体３の閉め忘れを回避することができる。したがって、プラグ５が屋外用コンセント１に対して挿入されていない状態において、水等が栓刃挿入口２１ａに侵入する確率を低減することができる。
【００９０】
（６）本実施形態によれば、段部７１ｂは、傾斜部７１ａより挿入方向の奥側において、傾斜部７１ａと連続するとともにプラグ５と接触する略Ｌ字形状に形成される構成としている。したがって、段部７１ｂが略Ｌ字形状に設けられることにより、傾斜部７１ａにより案内されたプラグ５のプラグケース５ｂの背面５ｃが段部７１ｂに対応する位置に移動したときには、ばね部材８１によって扉体３が回動するため、段部７１ｂとプラグケース５ｂの背面５ｃとが接触することとなる。したがって、ばね部材８１の作用により、プラグ５を屋外用コンセント１に挿入するのみにて、プラグ５の栓刃５ａが栓刃挿入口２１ａから抜けることを抑制する抜け止め機構を達成することができる。
【００９１】
（７）本実施形態によれば、プラグ５の栓刃５ａが栓刃挿入口２１ａに挿入されたときに、扉体３がプラグ５のプラグケース５ｂの側面の鉛直方向の下方を覆う構成としている。したがって、プラグ５の栓刃５ａが栓刃挿入口２１ａに挿入された状態において、プラグケース５ｂの側面の鉛直方向の下方からの水の侵入を抑制することができるようになる。したがって、プラグ５及び屋外用コンセント１の防水性能を向上させることができる。
【００９２】
（８）本実施形態によれば、扉体３は、シャフト８０を中心に前後方向の前方から後方に向かうにつれて鉛直方向の下方に向かい回動する構成としている。したがって、プラグ５は、扉体３の前後方向の前方から屋外用コンセント１に対して挿入することとなる。したがって、扉体３が開状態を維持しつつ、プラグ５を屋外用コンセント１に挿入する作業を容易に行うことができるようになる。
【００９３】
（９）本実施形態によれば、プラグ５の栓刃５ａが栓刃挿入口２１ａに挿入されたときに、プラグ５は凹部２１ｆの側面２１ｆ２に近接する構成としている。したがって、プラグ５の栓刃５ａを栓刃挿入口２１ａに挿入するときにおいて、使用者の手の指が栓刃５ａに触れることを抑制することができるようになる。したがって、使用者の手が栓刃５ａに触れることによる感電を抑制することができる。
【００９４】
また、プラグケース５ｂと凹部２１ｆの側面２１ｆ２との間隙は僅かであることにより、プラグ５の栓刃５ａを栓刃挿入口２１ａに挿入する場合において、プラグ５が傾こうとしてもプラグケース５ｂと凹部２１ｆとが接触することによりプラグ５の姿勢は維持されるようになる。したがって、プラグ５を屋外用コンセント１に挿入する作業を容易に行うことができるようになる。
【００９５】
その上、プラグ５を屋外用コンセント１に挿入した状態において、外部衝撃等によりプラグ５が傾こうとしても、凹部２１ｆの側面２１ｆ２にプラグケース５ｂが接触することによりその姿勢が維持されるようになる。したがって、プラグケース５ｂが傾くことに起因して、段部７１ｂとプラグケース５ｂとが離間する、即ち抜止機構の機能が低下することを抑制することができるようになる。
【００９６】
（１０）本実施形態によれば、保持部７０は、扉体３が閉状態となるときに、凹部２１ｆに収納される構成としている。したがって、扉体３とコンセント本体２の挿通口１２ａの周縁との間の空間の形成を抑制することができる。その上、凹部２１ｆが保持部７０を収納するスペースを兼ねるため、コンセント本体２に別途保持部を収納するためのスペースを設ける必要がなり、屋外用コンセント１の大型化を抑制することができる。
【００９７】
（１１）本実施形態によれば、扉本体６０には突出部６２ａが設けられる構成としている。したがって、この突出部６２ａに使用者の手の指を引っ掛けることにより扉体３を回動させることができる。
【００９８】
また、扉体３が閉状態において、突起部６２ｃは、カバー体５０より鉛直方向の下方に突出する構成としている。したがって、扉体３を閉状態においても突起部６２ｃを指にて容易に引っ掛けることができるため、扉体３の回動作業を容易に行うことができるようになる。
【００９９】
（１２）本実施形態によれば、カバー体５０が栓刃挿入口２１ａを取り囲むように周縁を覆うとともに、カバー体５０の鉛直方向の下端部が栓刃挿入口２１ａより鉛直方向の下方まで延びる構成としている。したがって、雨水等による屋外用コンセント１に対して鉛直方向の上方からの水は、カバー体５０の表面に沿って屋外用コンセント１の鉛直方向の下方に落下していくため、栓刃挿入口２１ａに水が侵入することを抑制することができる。
【０１００】
（１３）本実施形態によれば、扉本体６０には周壁部６３が設けられ、この周壁部６３は扉体３が閉状態において挿通口１２ａの周縁と当接する構成としている。したがって、扉本体６０の一面と当接する構成と比較して、より確実に挿通口１２ａの周縁と当接することが可能となる。その結果、プラグ５が屋外用コンセント１に挿入されていない状態において、屋外用コンセント１の防水性能を向上させることができるようになる。
【０１０１】
（第２の実施形態）
図１０を参照して、本発明のコンセントを家屋等の造営物の造営面である外壁に取り付けられる屋外用コンセントとして具体化した第２の実施形態について説明する。本実施形態においては、第１の実施形態と比較して扉体３の保持部の形状が異なるのみであるため、同一部材には同一符号を付し、その説明を省略する。
【０１０２】
図１０（ａ）に示すように、屋外用コンセント１Ａにおける扉体３の扉本体６０に設けられた保持部１００は、第１の実施形態と同様に、扉本体６０において前後方向の前方の位置に一体に設けられている。この保持部１００は、長さ方向に所定間隔を持って配列された３個の爪部１０１と、これら爪部１０１を連結する連結部（不図示）とにより構成されている。なお、３個の爪部１０１の配列態様は、第１の実施形態と同様である。
【０１０３】
爪部１０１には、前後方向の前方から後方に向かい扉本体６０からの突出量が多くなる形状の前方傾斜部１０３と、前方傾斜部１０３と連結されるとともに前後方向の前方から後方に向かい扉本体６０からの突出量が少なくなる形状の後方傾斜部１０４とが設けられている。この前方傾斜部１０３は、屋外用コンセント１Ａにプラグ５が挿入されるときに、プラグ５を案内する役割を果たす。そして後方傾斜部１０４は、屋外用コンセント１Ａにプラグ５が挿入された後に、プラグ５が屋外用コンセント１Ａから抜けることを抑制する役割を果たす。
【０１０４】
具体的には、プラグ５を屋外用コンセント１Ａに挿入するときには、プラグ５のプラグケース５ｂは前方傾斜部１０３に当接する。この当接した状態において、プラグ５を挿入方向の奥側に移動させると扉本体６０が鉛直方向の下方に回動することにより、前方傾斜部１０３が鉛直方向の下方に移動する。そして、図１０（ｂ）に示すように、プラグ５が屋外用コンセント１Ａに挿入されたときには、プラグケース５ｂの背面５ｃと側面５ｅとの連結部５ｆと後方傾斜部１０４とが当接するようになる。この後方傾斜部１０４はばね部材８１の作用によりプラグ５を挿入方向の奥側に沿った方向の分力が働く。これによりプラグ５が屋外用コンセント１Ａから抜けることが抑制される。
【０１０５】
ところで、プラグケース５ｂの製造上の誤差やプラグ５を組み立てる際の組立誤差、または屋外用コンセント１Ａのボディ１０とコンセントブロック２０との組立誤差等によってコンセントケース２１の凹部２１ｆの底面２１ｆ１からプラグケース５ｂの背面５ｃ（連結部５ｆ）までの距離にばらつきを生じてしまう場合がある。
【０１０６】
その点において、本実施形態では、上記連結部５ｆを後方傾斜部１０４にて当接する構成であるため、扉体３の回動度合が調整されることにより上記ばらつきを吸収するようになる。具体的には、上記距離が短い場合には、扉体３が鉛直方向の上方に回動することにより、連結部５ｆと後方傾斜部１０４との当接を維持するようになる。一方、上記距離が長い場合には、扉体３が鉛直方向の下方に回動することにより、連結部５ｆと後方傾斜部１０４との当接を維持するようになる。
【０１０７】
本実施形態の屋外用コンセント１Ａによれば、第１の実施形態の効果（１）〜（１３）に加え、以下の効果を奏することができる。
（１４）本実施形態によれば、プラグ５が屋外用コンセント１Ａに挿入されたときに、後方傾斜部１０４がプラグケース５ｂの連結部５ｆに当接する構成である。したがって、コンセントケース２１の凹部２１ｆの底面２１ｆ１からプラグケース５ｂの背面５ｃ（連結部５ｆ）までの距離のばらつきがあったとしても、後方傾斜部１０４と連結部５ｆとの当接を維持することができる。その結果、上記ばらつきを生じたとしても、抜け止め機構の性能の低下を抑制することができるようになる。
【０１０８】
（第３の実施形態）
図１１を参照して、本発明のコンセントを家屋等の造営物の造営面である外壁に取り付けられる屋外用コンセントとして具体化した第３の実施形態について説明する。本実施形態においては、第１の実施形態と比較して扉体３の保持部の形状が異なるのみであるため、同一部材には同一符号を付し、その説明を省略する。
【０１０９】
図１１（ａ）に示すように、屋外用コンセント１Ｂの保持部１１０は、扉本体６０の前後方向の前方に一体に設けられている。この保持部１１０は、長さ方向において配列された２個の爪部１１１と、これら爪部１１１を互いに連結する連結部とにより構成されている。ここで、爪部１１１の形状は、側面視において第１の実施形態の形状と概ね同様であるため、その説明を省略する。なお、爪部１１１の長さ方向の幅Ｈ１は、第１の実施形態の爪部７１の長さ方向の幅Ｈ２よりも大きくなるように形成されている。
【０１１０】
これら爪部１１１は、扉体３が閉状態となるときに、各爪部１１１に設けられた枠状の頂面１１３が各電源端子挿入口２１ａ２の周縁に当接するようになる。即ち頂面１１３は電源端子挿入口２１ａ２を取り囲む態様にて同電源端子挿入口２１ａ２の周縁に当接するようになる。これにより、扉体３とカバー部１２との間を通じて水が侵入したとしても、この頂面１１３と各電源端子挿入口２１ａ２との間が封止されているため、水の侵入が抑制されるようになる。
【０１１１】
図１１（ｂ）に示すように、扉体３が閉状態となるとき、即ち電源端子挿入口２１ａ２に爪部１１１が挿入されたときにおいて、長さ方向において爪部１１１は電源端子挿入口２１ａ２の開口端２１ａ１と接触している。これにより長さ方向において電源端子挿入口２１ａ２と爪部１１１との間に空間が形成されることが抑制されている。
【０１１２】
本実施形態の屋外用コンセント１Ｂによれば、第１の実施形態の効果（１）〜（１３）に加え、以下の効果を奏することができる。
（１５）本実施形態によれば、扉体３が閉状態となるときには、保持部１１０は電源端子挿入口２１ａ２に挿入される構成としている。したがって、保持部１１０の爪部１１１が電源端子挿入口２１ａ２の蓋の役割を果たすことになる。したがって、プラグ５が屋外用コンセント１Ｂに挿入されていない状態において、屋外用コンセント１Ｂの防水性能を向上させることができる。
【０１１３】
特に、爪部１１１が電源端子挿入口２１ａ２に挿入された状態において爪部１１１と電源端子挿入口２１ａ２の開口端２１ａ１とが接触するため、電源端子挿入口２１ａ２への水の侵入がより抑制されるため、屋外用コンセント１Ｂの防水性能をより向上させることができるようになる。
【０１１４】
また、本実施形態では、第１及び第２の実施形態と同様に、扉体３が閉状態のときには扉本体６０の周壁部６３と挿通口１２ａの周縁とが当接した状態となる。したがって、屋外用コンセント１Ｂは、周壁部６３と挿通口１２ａの周縁との当接による防水機能と、爪部１１１が電源端子挿入口２１ａ２に挿入されることによる防水機能との２つを併せ有することとなる。その結果、屋外用コンセント１Ｂの防水性能をより一層の向上を図ることができるようになる。
【０１１５】
（その他の実施形態）
本実施形態の屋外用コンセントは、上記各実施形態に限定されることなく、例えば以下の変更が可能である。また、以下の変形例は、上記各実施形態についてのみ適用されるものでなく、異なる変形例同士を互いに組み合わせて実施することもできる。
【０１１６】
・上記各実施形態では、扉体３が閉状態のときには、扉本体６０の周壁部６３と挿通口１２ａの周縁とが接触することにより、栓刃挿入口２１ａ内に水が侵入することを抑制する防水構造を構成したが、本発明の防水構造はこれに限定されることはない。例えば、図１２（ａ）に示すように、扉本体６０の周壁部６３が設けられる位置に、この周壁部６３に変えてゴム等の圧縮可能な弾性部材１２０を取り付ける構成とすることもできる。この弾性部材１２０は、図１２（ｂ）に示すように、扉体３が閉状態となるときには、扉本体６０と挿通口１２ａの周縁との間に圧縮された状態にて挟まれる。これにより、扉本体６０と弾性部材１２０との間、及び弾性部材１２０と挿通口１２ａの周縁との間の密着性を向上させることができる。即ち、扉本体６０と弾性部材１２０との間、及び弾性部材１２０と挿通口１２ａの周縁との間に隙間が形成されることが抑制されるようになる。したがって、扉体３が閉状態において、屋外用コンセント１，１Ａ，１Ｂの防水性能の向上を図ることができるようになる。
【０１１７】
・また、上記弾性部材１２０は、周壁部６３に直接取り付けることもできる。この構成においても、屋外用コンセント１，１Ａ，１Ｂの防水性能の向上を図る効果を奏することができる。
【０１１８】
・また、上記弾性部材１２０は、挿通口１２ａの周縁に直接取り付けることもできる。この構成においても、屋外用コンセント１，１Ａ，１Ｂの防水性能の向上を図る効果を奏することができる。またこの場合においては、扉本体６０から周壁部６３を省略した構造であっても同様の効果を奏することができる。
【０１１９】
・上記各実施形態では、コンセントブロック２０のコンセントケース２１に凹部２１ｆが設けられる構成であったが、コンセントケース２１に凹部２１ｆが設けられない構成とすることもできる。この構成においても、上記各実施形態の効果（１）〜（８）、（１１）〜（１５）を得ることができる。
【０１２０】
・上記各実施形態では、扉体３がシャフト８０を回動中心として、前後方向の前方から後方に向かうとともに、鉛直方向の下方に回動する構成としたが、扉体３は前後方向の後方から前方に向かうとともに、鉛直方向の下方に回動する構成とすることもできる。この構成においても、上記各実施形態の効果（１）〜（７）及び（９）〜（１５）を得ることができる。
【０１２１】
・上記各実施形態では、プラグ５が屋外用コンセント１，１Ａ，１Ｂに挿入された状態において扉体３がプラグ５のプラグケース５ｂの鉛直方向の下方の一部を覆う構成としたが、扉体３の構成はこれに限定されることはない。例えば、扉本体６０の周壁部６３のうちの長さ方向の２辺を鉛直方向の上方に延ばすことにより、プラグ５が屋外用コンセント１，１Ａ，１Ｂに挿入された状態において扉体３がプラグケース５ｂの両側面を覆う構成とすることもできる。
【０１２２】
・上記各実施形態では、付勢手段としてばね部材８１を用いたが、付勢手段としては他の手段を用いてもよい。例えば扉本体６０に磁石を取り付け、この磁石と対応する挿通口１２ａの周縁に磁性体の金属片を取り付けることにより、扉体３の閉状態を維持するような構成とすることもできる。
【０１２３】
・上記各実施形態では、ばね部材８１の作用により、扉体３が閉状態においても周壁部６３が挿通口１２ａの周縁を鉛直方向の上方に向かい付勢している構成であったが、扉体３が閉状態においては周壁部６３が挿通口１２ａの周縁を付勢しない構成とすることもできる。この場合においては、扉体３及びボディ１０のそれぞれに互いに係合する係合部を設けることにより、扉体３の閉状態を維持することもできる。
【０１２４】
・上記各実施形態では、前後方向の前方から後方に向かうにつれて扉本体６０からの突出量が増加する形状の傾斜部７１ａが設けられたが、本発明の傾斜部の形状はこれに限定されることはない。例えば、傾斜部として、傾斜部７１ａに変えて、前後方向の前方から後方に向かうにつれて扉本体６０からの突出量が増加する湾曲形状の湾曲部としてもよい。
【０１２５】
・また、上記各実施形態では、保持部７０，１００，１１０に傾斜部７１ａ及び前方傾斜部１０３が設けられる構成であったが、保持部７０，１００，１１０は傾斜部７１ａ及び前方傾斜部１０３を省略することもできる。
【０１２６】
・第１及び第３の実施形態では、接触部として、段部７１ｂが設けられたが、本発明の接触部の形状はこれに限定されることはない。例えば、接触部として、前後方向の後方から前方に向かい鉛直方向の上方に向かい湾曲する湾曲部とすることもできる。
【０１２７】
・第３の実施形態では、爪部１１１が栓刃挿入口２１ａの２つの電源端子挿入口２１ａ２に挿入される構成であったが、爪部１１１を３個設けることにより、さらに接地端子挿入口２１ａ３にも挿入される構成とすることもできる。
【０１２８】
・第３の実施形態では、第１及び第２の実施形態と同様に、扉本体６０の周壁部６３が挿通口１２ａの周縁と当接する構成であったが、扉本体６０は周壁部６３を省略した構成とすることもできる。この場合において、扉本体６０と挿通口１２ａの周縁とが当接していな状態であっても、屋外用コンセント１Ｂの防水性能を維持することができる。
【０１２９】
・第３の実施形態では、扉体３が閉状態において、爪部１１１が各電源端子挿入口２１ａ２の周縁に当接することにより、各電源端子挿入口２１ａ２内に水の侵入を抑制するように防水構造を構成したが、本発明の防水構造はこれに限定されることはない。例えば、爪部１１１の一部が各電源端子挿入口２１ａ２に挿入されることにより、各電源端子挿入口２１ａ２と爪部１１１の一部とが互いに接触する構成としてもよい。この場合においては、爪部１１１の幅Ｈ１は各電源端子挿入口２１ａ２の幅Ｈ２と略同一であることが望ましい。この構成においても、第３の実施形態の効果（１５）に準じた効果を奏することができる。
【０１３０】
・上記各実施形態では、プラグ５のプラグケース５ｂは略円筒形状として構成されたが、プラグケース５ｂの形状はこれに限定されることはない。例えば、プラグケース５ｂは直方体状として構成することもできる。
【０１３１】
・上記各実施形態では、保持部７０，１００，１１０が扉本体６０に対して一体、即ち扉本体６０と保持部７０，１００，１１０とが単一の部材として構成されたが、扉本体６０と保持部７０，１００，１１０とは各別の部材として構成してもよい。
【０１３２】
・上記各実施形態では、段部７１ｂ及び後方傾斜部１０４とばね部材８１の作用とにより、プラグ５のプラグケース５ｂに対して当接した状態を維持するとともに、抜止機能を有する構成としたが、本発明の抜止機構はこれに限定されることはない。保持部７０，１００，１１０がプラグケース５ｂに対して当接した状態を維持するとともに、抜止機能を有する構成であればよい。したがって例えば、保持部に係合爪を設け、プラグケース５ｂに係合するように設けることもできる。
【０１３３】
・上記各実施形態では、コンセントとして屋外用コンセント１，１Ａ，１Ｂに適用したが、本発明のコンセントはこれに限定されることはない。例えば、室内用コンセントにも適用することができる。
【符号の説明】
【０１３４】
１，１Ａ，１Ｂ…屋外用コンセント（コンセント）、２…コンセント本体、３…扉体、４…回転機構、５…プラグ、５ａ…栓刃、５ａ１…電源端子、５ａ２…接地端子、５ｂ…プラグケース、５ｃ…背面、５ｄ…前面、５ｅ…側面、５ｆ…連結部、１０…ボディ、１１…枠体部、１１ａ…ボルト挿通部、１２…カバー部、１２Ａ…前面、１２ａ…挿通口、２０…コンセントボディ、２１ａ…栓刃挿入口、２１ａ１…開口端、２１ａ２…電源端子挿入口、２１ａ３…接地端子挿入口、２１ｃ…ボディ取付部、２１ｄ…係合部、２１ｅ…挿入部、２１ｆ…凹部、２１ｆ１…底面、２１ｆ２…側面、２１ｇ…挿入面、２２…刃受、３０…防水パッキン、３１…嵌合部、３２…前方挿通部、３３…周壁部、３４…挿入部、４０…取付体、４１…取付部、４２…後方挿通部、４３…ボルト挿通部、５０…カバー体、５１…前面、５２…側面、６０…扉本体、６１…シャフト挿入部、６２…把持部、６３…周壁部、６２ａ…突出部、６２ｂ…リブ、６２ｃ…突起部、７０…保持部、７１…爪部、７１ａ…傾斜部、７１ｂ…段部（接触部）、７１ｂ１…第１面、７１ｂ２…第２面、７２…連結部、８０…シャフト、８１…ばね部材（付勢手段）、９０…保持部材、１００…保持部、１０１…爪部、１０３…前方傾斜部、１０４…後方傾斜部、１１０…保持部、１１１…爪部、１２０…弾性部材。
【図１】
2010257918.tif 000003
【図２】
2010257918.tif 000004
【図３】
2010257918.tif 000005
【図４】
2010257918.tif 000006
【図５】
2010257918.tif 000007
【図６】
2010257918.tif 000008
【図７】
2010257918.tif 000009
【図８】
2010257918.tif 000010
【図９】
2010257918.tif 000011
【図１０】
2010257918.tif 000012
【図１１】
2010257918.tif 000013
【図１２】
2010257918.tif 000014